(57)【特許請求の範囲】
【請求項１】
ファイルデータを読み込み、ウィンドウデータに変換する手段と、
表示部に該ウィンドウデータのウィンドウ表示と、外部出力ウィンドウと、ＯＮボタンとを表示する手段と、
データを選択する手段と、
選択されたデータを外部に出力する手段を有し、
選択された第１のウィンドウデータが外部に出力されているときに、第２のウィンドウデータのウィンドウを前記外部出力ウィンドウにドラッグ・ドロップして選択すると、前記第１のウィンドウデータの外部への出力を停止し、前記ＯＮボタンが選択されると、前記第２のウィンドウデータの外部への出力を開始することを特徴とする表示制御装置。
【請求項２】
ウィンドウデータ以外のデータが選択された場合は、該ウィンドウデータ以外のデータの外部への出力を行わないことを特徴とする請求項１に記載の表示制御装置。
【請求項３】
ファイルデータを読み込み、ウィンドウデータに変換するステップと、
表示部に該ウィンドウデータのウィンドウ表示と、外部出力ウィンドウと、ＯＮボタンとを表示するステップと、
データを選択するステップと、
選択されたデータを外部に出力するステップを有し、
選択された第１のウィンドウデータが外部に出力されているときに、第２のウィンドウデータのウィンドウを前記外部出力ウィンドウにドラッグ・ドロップして選択すると、前記第１のウィンドウデータの外部への出力を停止し、前記ＯＮボタンが選択されると、前記第２のウィンドウデータの外部への出力を開始することを特徴とする表示制御方法。
【請求項４】
ウィンドウデータ以外のデータが選択された場合は、該ウィンドウデータ以外のデータの外部への出力を行わないことを特徴とする請求項３に記載の表示制御方法。
【発明の詳細な説明】
【技術分野】
【０００１】
本発明は、複数のウィンドウのうち、ひとつのウィンドウの内容を外部モニタに出力して表示可能な表示制御装置、表示制御方法に係り、外部出力表示するウィンドウの選択方法に関する。
【背景技術】
【０００２】
パーソナルコンピュータ等の情報処理装置の液晶表示部の表示内容を大画面の外部モニタに表示することがプレゼンテーション等でよくおこなわれる。近年のパーソナルコンピュータは複数のアプリケーションソフトウェアをマルチウィンドウを表示するものが多く、情報処理装置の表示領域を外部モニタに表示する場合に、外部表示したいアプリケーションソフトウェアの表示内容が表示されるウィンドウ以外の他のウィンドウも表示されてしまう問題があった。
【０００３】
このため、アクティブウィンドウの表示内容のみ外部出力すること（例えば、特許文献１）や、外部表示するウィンドウを指定し、指定されたウィンドウの内容を拡大して外部表示すること（例えば、特許文献２）が検討され、ウィンドウのひとつの内容を外部モニタに表示することが可能となってきた。
【０００４】
詳しくは、特許文献１には、パーソナルコンピュータの液晶表示部に対し、後にモニタ表示させたい複数のファイルデータをウィンドウデータＷ１，Ｗ２，…として呼び出し表示させた状態で、何れか１つのウィンドウデータＷｎをモニタ出力するべきアクティブウィンドウとしてポインタＰで指示して選択すると、この選択されたウィンドウデータＷｎは、予め入力されている外部モニタの表示画面サイズ（解像度）に合わせて拡大処理されて、同外部モニタの表示画面サイズ（解像度）に合わせて確保された外部出力用画像データの記憶領域である仮想外部装置ＶＲＡＭエリアに書き込まれ、ビデオ信号に変換されて外部モニタへ出力され表示されることが記載されている。
【０００５】
また、特許文献２には、デイスプレイに複数のウィンドウを表示する情報処理装置に関し、デイスプレイのための画面メモリと、画面メモリの特定のウィンドウの画像データを外部モニタに出力するための処理ユニットとを設ける。画面に表示されている複数のウィンドウの内、指定したウィンドウを、外部のモニタに表示でき、指定したウィンドウの画像のみを大画面表示でき、不要なウィンドウを表示しない。このため、大画面表示を充分楽しむことができるとともに、コンピュータのマルチタスクも実現できることが、記載されている。
【先行技術文献】
【特許文献】
【０００６】
【特許文献１】特開２０００−３３９１３０号公報
【特許文献２】ＷＯ２００２／０６７１０２号公報
【発明の概要】
【発明が解決しようとする課題】
【０００７】
上記特許文献は、いずれもプロジェクタなどの外部の表示装置に対して、不必要なデータ（画像）を表示させないようにする技術である。例えば、上記特許文献１に記載の表示制御装置においては、外部の表示装置に表示させたい複数のファイルデータを、ウィンドウデータとしてあらかじめ表示させておく。操作者はポインティングデバイス等で任意のウィンドウをアクティブウィンドウに指定し、そのアクティブウィンドウに指定されたウィンドウデータが外部の表示装置に出力されるものである。すなわち、操作者は会議やプレゼンテーションなどが始まる前に、外部の表示装置に表示したい全てのファイルデータをあらかじめ表示させておく必要があるため、使い勝手がよくない。また、追加で新たなファイルデータの表示が必要になった時、そのファイルデータを探す時のウィンドウがアクティブウィンドウになってしまい、探している途中の画像が外部の表示装置に出力されてしまう場合がある。
【０００８】
上記特許文献２に記載の表示制御装置においては、外部の表示装置に出力するウィンドウに対して「常に出力」「有効の時出力」などを選択するものである。例えば「常に出力」を選択して外部の表示装置に出力場合は、ファイルデータを探すときのウィンドウが有効（アクティブ）になっても、その映像が出力されることはない。しかし、別のファイルデータを出力させる場合は、まず現在出力中のウィンドウに対して「停止」を選択して、出力を停止し、次に表示させたいウィンドウに対して「常に出力」「有効の時出力」を選択して出力させる必要がある。現在出力中のウィンドウが、他のウィンドウの下に隠れている場合は、そのウィンドウを探す手間もかかってしまうため、使い勝手がよくないという問題がある。
【０００９】
本発明の目的は、上記の先行技術の問題点を解決し、より使い勝手のよい、表示装置を提供することにある。
【課題を解決するための手段】
【００１０】
上記課題を解決するために、本発明の少なくとも１以上のウィンドウを表示する表示制御装置は、ウィンドウの生成・制御をおこなうウィンドウ管理手段と、ウィンドウの選択・移動をおこなうウィンドウ操作手段と、前記ウィンドウのうちのひとつのウィンドウの表示内容を他の表示装置に出力する外部出力部と、を備え、前記ウィンドウ管理手段は前記外部出力部に表示内容を出力する外部出力ウィンドウを生成し、前記外部出力ウィンドウは、前記ウィンドウ操作手段によりドラッグ＆ドロップされたウィンドウの表示内容を表示するとともに、当該外部出力ウィンドウの設定に応じて前記外部出力部により表示内容を外部出力するようにした。
【発明の効果】
【００１１】
本発明によれば、外部機器に出力するファイルデータを容易に選択でき、さらには意図しない画像が外部機器に出力されることを防止することができるので、使い勝手を向上することができる。
【図面の簡単な説明】
【００１２】
【図１】本発明による表示システム全体の構成図の例である。
【図２】本発明による表示制御装置のブロック図である。
【図３】本発明による表示制御装置の表示部１０６の表示画像の例を示した図である。
【図４】本発明による表示制御装置の表示画面の例、及び表示装置の出力画像の例である。
【図５】本発明による表示制御装置の処理動作のフローチャートである。
【図６】主要ステップにおける表示部の表示画面例とその時の表示装置の出力画像例である。
【図７】本発明による表示制御装置のエラー表示例である。
【図８】本発明の表示制御装置を用いた別の表示システムの構成図である。
【発明を実施するための形態】
【００１３】
以下、本発明の実施例を図面を用いて説明する。
図１は、本発明による表示システム全体の構成図の例である。表示システムは、表示制御装置１００、及び表示装置２００からなり、それぞれは、接続ケーブル２２０にて接続されている。
【００１４】
本表示システムは、例えば会議や講義、発表会などに用いられるものである。表示制御装置１００は、例えばノート型パソコンなどであり、資料などのファイルデータを画像データに変換し、表示装置２００に出力するものである。表示装置２００は、例えばプロジェクタなどの投射型表示装置などであり、入力された画像データをスクリーンなどに出力画像２１０を投射表示する。これにより、参加者が同時に閲覧することができる。
【００１５】
図２は、本実施例の表示制御装置１００のブロック図である。表示制御装置１００は、制御部１０１、ＲＯＭ１０２、ＲＡＭ１０３、ストレージ１０４、ＬＡＮ通信部１０５、表示部１０６、表示処理部１０７、外部出力ＩＦ１０８、キーボード１０９、ポインティングデバイス１１０で構成される。システムバス１２０は、表示制御装置１００内の各部との間で相互接続されており、データ送受信を行うためのデータ通信路である。
【００１６】
制御部１０１は表示制御装置１００全体のシステムを制御する、例えばＣＰＵ（Central Processing Unit）のようなものである。ＲＯＭ(Read Only Memory)１０３は、表示制御装置１００の起動プログラムであるＢＩＯＳ（Basic Input/Output System）などが格納されたメモリである。
【００１７】
ストレージ１０４は、例えばＨＤＤ（Hard disk drive）やＳＳＤ（Solid State Drive）などであり、ＯＳ（Operating System）や所定のアプリケーションプログラムや、各種ファイルデータなどが格納された記録媒体である。なお、ストレージ１０４に格納されている状態のデータをファイルデータという。ＲＡＭ（Random Access Memory）１０４は、ＯＳやアプリケーションプログラムなどの実行時のワークエリアとなる。
【００１８】
表示部１０６は例えば液晶パネルのような表示デバイスであり、表示処理部１０７において処理した映像データを表示する。外部出力ＩＦ１０８は、表示処理部１０７において処理した映像（画像）データを外部機器に出力するためのインターフェイスであり、例えばＶＧＡ（Video Graphics Array）端子やＤＶＩ（Digital Visual Interface）、ＨＤＭＩ（High-Definition Multimedia Interface）などのインターフェイスである。
【００１９】
この外部出力ＩＦ１０８に、上記接続ケーブル２２０を接続し、表示装置２００などの外部機器に映像（画像）データを出力する。例えば、外部出力ＩＦ１０８がＨＤＭＩインターフェイスの場合は、接続ケーブル２２０はそれに対応したＨＤＭＩケーブルとなる。
【００２０】
キーボード１０９は、文字入力あるいはキー操作を行うための入力デバイスである。ポインティングデバイス１１０は、例えばマウスやタッチパッドであり、表示部１０６に表示されるポインタの移動、操作などを行うための入力デバイスである。
【００２１】
ＬＡＮ（Local Area Network）通信部１０５は、ネットワークに接続されている他の機器やインターネットなどとデータ通信を行うものである。
【００２２】
図３は、実施例の表示制御装置１００の表示部１０６の表示例を示した図である。図に示すように、表示部１０６の表示画面には、外部出力をおこなうための外部出力ウィンドウ４０１と、出力状態を制御するＯＮボタン４０２、ＯＦＦボタン４０３を設けている。
【００２３】
図４（１）により具体的な本実施例の表示部１０６の表示画面の例を示し、図４（２）は、表示装置２００の出力画像の例を示している。
【００２４】
図４（１）において、リストウィンドウ４１０は、ストレージ１０４に格納されているファイルデータの名称をリスト表示したものであり、このリストから所望のファイルデータをキーボード１０９あるいはポインタデバイス１１０にて選択することができる。ファイルデータの内容を画像表示したものがウィンドウ４１１、４１２である。これは、選択したファイルデータに対応するアプリケーションプログラムを、ストレージ１０４から読み出し起動し、このアプリケーションプログラムを用いて、前記ファイルデータの読み込み処理、画像データへの変換処理を行い、表示部１０６に表示したものである。
【００２５】
このように、ファイルデータをアプリケーションプログラムにて画像データに変換し、ウィンドウ４１１、４１２に表示された画像データをウィンドウデータという。使用者は、表示部１０６に表示されたウィンドウデータにてファイルデータの内容を見ることにより、所望のファイルデータであるかを確認することができる。
【００２６】
なお、この状態では、外部出力ＩＦ１０８より出力するファイルデータが選択されていない状態であるため、外部出力ウィンドウ４０１には、何も表示されていない状態である。またＯＦＦボタン４０３が選択された状態であり、外部出力ＩＦ１０８からの画像データの送信は停止した状態である。すなわち、表示装置１００にて表示される表示画像２１０は、入力信号がないため、全面黒表示のブランク画面となる。
【００２７】
次に、本発明の表示制御装置１００において、外部出力ＩＦ１０８より出力するファイルデータを選択する方法について説明する。例えば、ウィンドウ４１２に表示されているウィンドウデータ（ファイルデータ）を表示装置２００に表示させたい場合は、ウィンドウ４１２をポインティングデバイス１１０等にて選択し、外部出力ウィンドウ４０１にドラッグ＆ドロップする。これにより、ウィンドウ４１２に表示されているウィンドウデータ（ファイルデータ）が、外部出力ＩＦ１０８より出力されるデータに選択される。
【００２８】
次に、選択時の処理について、詳細に説明する。
図５は、データを外部出力ウィンドウ４０１にドロップした時の表示制御装置１００の処理動作のフローチャートである。
【００２９】
本処理は、外部出力ウィンドウ４０１に外部出力したいデータがドロップされたときに開始する。最初に外部出力ウィンドウ４０１にドロップされたデータがウィンドウデータであるかを判定する（Ｓ５０１）。ドロップされたデータがウィンドウデータでない場合（Ｓ５０１−Ｎｏ）は、表示部１０６にエラー表示し（Ｓ５０７）、本処理を終了する。
【００３０】
ドロップされたデータを判定しデータがウィンドウデータである場合（Ｓ５０１−Ｙｅｓ）は、外部出力ＩＦ１０８からの画像データの出力を停止し、表示部１０６においてはＯＦＦボタン４０３が選択された状態とする（Ｓ５０２）。
【００３１】
次に、ドロップされたウィンドウ４１２に表示していた内容と同じものを外部出力ウィンドウ４０１に表示する（Ｓ５０３）。これは、ウィンドウ４１２に表示されているウィンドウデータを、外部出力ウィンドウ４０１のウィンドウデータとして用いることで容易に表示することができる。そして、ドロップされたウィンドウ４１２を表示画面より消去する（Ｓ５０４）。以降、ウィンドウを表示画面より消去することを「ウィンドウを閉じる」という。
【００３２】
次に、ＯＮボタン４０２が選択されたかを確認するステップ（Ｓ５０５）に移行する。同時に経過時間のカウントを開始する。ポインティングデバイス１１０等によりＯＮボタン４０２が選択された場合（Ｓ５０５−Ｙｅs）は、外部出力ウィンドウ４０１に表示しているウィンドウデータを、外部出力用画像データに変換し、外部出力ＩＦ１０８より出力し（Ｓ５０６）、本処理を終了する。
【００３３】
ＯＮボタン４０２の選択が確認できなかった場合、すなわちＯＮボタンが選択されない場合（Ｓ５０５−Ｎｏ）は、ＯＦＦボタン４０３の選択を確認するステップ（Ｓ５０８）に移行する。ここで、ＯＦＦボタン４０３が選択された場合（Ｓ５０８−Ｙｅｓ）は、ドロップされたウィンドウ４１２を元の状態、すなわち、本処理が開始する前の状態に戻す（Ｓ５０９）。
【００３４】
これは、外部出力ウィンドウ４０１のウィンドウデータを、ウィンドウ４１２のウィンドウデータとして用いて再作成することで実現できる。さらに、外部出力ウィンドウ４０１のウィンドウデータを削除する（Ｓ５１０）。これにより、外部出力ウィンドウ４０１は何も表示されていない非表示状態となる。非表示状態となった後、本処理を終了する。
【００３５】
上記ステップ（Ｓ５０８）にて、ＯＦＦボタンの選択４０３の選択を確認できなかった場合（Ｓ５０８−Ｎｏ）は、経過時間が所定時間（たとえば１分など）以下であれば（Ｓ５１１−Ｎｏ）、ＯＮボタン４０２が選択されたかを確認するステップ（Ｓ５０５）に戻る。経過時間が所定時間を超えた場合（Ｓ５１１−Ｙｅｓ）は、ＯＦＦボタン４０３が選択された場合と同様に、ドロップしたウィンドウ４１２を元の状態に戻し（Ｓ５０９）、外部出力ウィンドウのウィンドウデータを削除し（Ｓ５１０）、本処理を終了する。
【００３６】
上記した、本発明の表示制御装置１００の処理の具体例を、図６を用いて説明する。図６は、図５のフローチャートの主要ステップにおける表示部１０６の表示画面例とその時の表示装置２００の出力画像例を示した図である。
【００３７】
図６（ａ−１）は本処理の開始前の表示画面例である。図に示すように、表示制御装置１００に複数のウィンドウ４１１、４１２を同時に表示させることができ、それぞれの内容を確認することができる。このときは、外部出力ＩＦ１０８から画像データは出力されていないため、図６（ａ−２）に示すように、表示装置２００の表示画像２１０（ａ）は、ブランク画面である。
【００３８】
ここで、例えばウィンドウ４１２に表示されているウィンドウデータ（ファイルデータ）を、表示装置２００に表示させるファイルデータとして選択する場合は、上記したように、ウィンドウ４１２を選択し、矢印に示すように、外部出力ウィンドウ４０１部にドラッグ＆ドロップする。外部出力ウィンドウ４０１にドロップされると、図５に示した処理が開始する。
【００３９】
処理が開始すると、ドロップしたデータはウィンドウ４１２、すなわちウィンドウデータであるため（図５−５０１−Ｙｅｓ）、図６（ｂ−１）に示すように、ＯＦＦボタン４０３が選択され（図５−Ｓ５０２）、ウィンドウ４１２に表示されていた内容とおなじものを外部出力ウィンドウ４０１に表示され（図５−Ｓ５０３）、ウィンドウ４１２は閉じられる（図５−Ｓ５０４）。
【００４０】
このときの外部出力ＩＦ１０８からの出力は、ＯＦＦボタン４０３が選択され、何も出力されていない状態であるため、図６（ｂ−２）に示すように、表示画像２１０（ｂ）はブランク画面である。このように、外部出力ウィンドウ４０１に、ウィンドウ４１２をドロップしただけでは、外部出力ＩＦ１０８から画像データは出力されないようにしている。
【００４１】
これは、ウィンドウをポインティングデバイス１１０で、表示画面上を移動させているときに、誤って外部出力ウィンドウ４０１部で離してしまったときに、ドロップと判断されて、出力されないようにするためである。したがって、ドラッグ＆ドロップが正確におこなわれる場合には、この処理はなくてもよい。
【００４２】
次に、ポインティングデバイス１１０によりＯＮボタン４０２を選択する（図５−Ｓ５０５−Ｙｅｓ）と、図６（ｃ−１）に示すように、表示画面上でもＯＮボタン４０２が選択された状態となり、図６（ｃ−２）に示すように、表示画像２１０（ｃ）は、外部出力ウィンドウ４０１に表示されている内容と同じものになる（図５−Ｓ５０６）。
【００４３】
さらに、別のウィンドウ（ここではウィンドウ４１１）の内容を表示装置２００に表示させた場合は、同様に図６（ｃ−１）の矢印のように、ウィンドウ４１１を選択し、外部出力ウィンドウ４０１にドラッグしてドロップすればよい。
【００４４】
ドロップすると、図６（ｄ−１）に示すように、ＯＦＦボタン４０３が選択され、外部出力ウィンドウ４０１にウィンドウ４１１の内容が表示され、ウィンドウ４１１が閉じられる。また、外部出力ＩＦ１０８からの出力は停止するため、図６（ｄ−２）に示すように表示画像２１０（ｄ）はブランク画面となる。ここで、図６（ｅ−１）に示すように、ＯＮボタン４０２を選択すると、外部出力ウィンドウ４０１に表示されている内容が外部出力ＩＦ１０８より出力され、表示画像２１０（ｅ）は、図６（ｅ−２）に示すようになる。
【００４５】
なお、ウィンドウデータ以外のもの（例えばリストウィンドウ４１０など）を、外部出力ウィンドウ４０１にドロップした場合（図５−Ｓ５０１−Ｎｏ）は、図７に示すように、表示画面上に「表示できません」等のエラー表示４２０を行う（図５−Ｓ５０７）。
【００４６】
上記においては、外部出力ＩＦ１０８から画像データの送信を停止するが、これに限定されるものではない。たとえば、全面黒表示の外部出力用画像データを作成し、出力してもよい。この場合、表示装置２００においては、入力された画像データが全面黒表示画像であるため、表示画像２１０は全面黒表示となる。また、全面黒表示に変えて、全面白表示、全面グレー表示あるいは、ロゴなどの特定の画面データの表示でもよい。
【００４７】
また、上記の各種処理は、制御部１０１、表示処理部１０７によって行われ、各処理を行う際のワークエリアとしてＲＡＭ１０３が使用される。
【００４８】
ここで、上述の外部出力ウィンドウ４０１を、表示制御装置１００のGUIを制御するウィンドウマネージャの機能として実装することが望ましい。このような実装によれば、オブジェクトのアイコンを外部出力ウィンドウ４０１にドラッグ＆ドロップして、オブジェクトの内容を外部出力することも容易になる。この場合、ＯＮボタン４０２やＯＦＦボタン４０３をウィンドウ属性として実装してもよい。
【００４９】
図８は、本発明の表示制御装置１００を用いた別の表示システムの構成図である。
図に示すように、表示制御装置１００はＬＡＮ通信部１０５（図示せず）をインターフェイスとして、ネットワーク３００に接続されている。一方、表示装置２００もネットワーク３００に接続されている。この場合、表示制御装置１００により作成された外部出力用画像データは、外部出力ＩＦ１０８ではなく、ＬＡＮ通信部１０５より出力するようにしている。表示制御装置１００より出力された外部出力用画像データは、ネットワーク３００を介して、表示装置２００に入力される。表示装置２００は、入力された画像データをスクリーンなどに表示画像２１０として表示する。
【００５０】
また、図に示すように、複数の表示制御装置１００がネットワーク３００に接続されている場合について説明する。表示装置２００が、表示制御装置１００の出力する画像データを表示している場合、他の表示制御装置１００’の出力する画像データを入力しても表示しないようにする。どの表示制御装置１００の出力する画像データを表示装置２００にて表示するかは、表示制御装置１００あるいは表示装置２００のどちらで決定してもよい。
【００５１】
また、表示装置２００が表示画像を出力中であることを接続されている表示制御装置１００に送信し、表示装置２００が出力中であることを表示制御装置１００の表示部１０６に表示させると、さらに使い勝手がよい。
【００５２】
上記においては、表示制御装置１００に備えられているストレージ１０４に格納されているファイルデータより外部出力用画像データを作成して出力する例について説明したが、これに限定されるものではない。ストレージサーバー３１０など他の機器に格納されているファイルデータを、ネットワーク３００を経由してＬＡＮ通信部１０５から表示制御装置１００に読み込み、上記各処理を行って、外部出力用画像データを表示装置２００に出力してもよい。
【００５３】
また、上記においては、表示制御装置１００がファイルデータを読み込み、外部出力用画像データを作成していたが、これに限定されるものではない。例えば、表示装置２００がストレージサーバー３１０からファイルデータを読み込み、画像データに変換して表示してもよい。この場合、ファイルデータの読み込み、画像データへの変換、画像表示などの各処理は、表示制御装置１００がネットワーク３００経由で表示装置２００を制御することで実現できる。
【００５４】
以上、本発明の表示制御装置においては、ウィンドウをアクティブにしても表示装置などの外部機器に出力されないため、誤出力を気にすることなく、ウィンドウの各種操作ができ、ファイルデータの内容の確認が容易にでき、使い勝手がよい。
【００５５】
また、アプリケーションプログラムによりウィンドウ表示しているウィンドウデータが選択された場合に限って、外部機器に出力するファイルデータに選択されるようにしている。すなわち、リスト表示のリストウィンドウからファイルデータを選択したときは出力しないようし、ウィンドウ表示し内容を確認したデータのみが外部機器に出力されるため、意図しないデータが誤って外部機器に出力し表示されることを防止できる。
【符号の説明】
【００５６】
１００…表示制御装置、１０１…制御部、１０２…ＲＯＭ、１０３…ＲＡＭ、１０４…ストレージ、１０５…ＬＡＮ通信部、１０６…表示部、１０７…表示処理部、１０８…外部出力ＩＦ、１０９…キーボード、１１０…ポインティングデバイス、３００…ネットワーク、３１０…ストレージサーバー、４０１…外部出力ウィンドウ、４０２…ＯＮボタン、４０３…ＯＦＦボタン、４１０…リストウィンドウ、４１１・４１２…ウィンドウ
【図１】
0005816596.tif 000002
【図２】
0005816596.tif 000003
【図３】
0005816596.tif 000004
【図４】
0005816596.tif 000005
【図５】
0005816596.tif 000006
【図６】
0005816596.tif 000007
【図７】
0005816596.tif 000008
【図８】
0005816596.tif 000009